(57)【特許請求の範囲】
【請求項１】
本体ケースの上面後端側を支点として前後回動可能に枢着されるトレイ板を備え、前記トレイ板及びホッパー板に積層された単票用紙を給紙ローラと分離面とにより１枚ずつ搬送する搬送装置において、
搬送経路のうち前記給紙ローラより搬送下流側に配置して駆動する搬送ローラと、該搬送ローラに押圧するピンチローラと、該ピンチローラを一端部にて支持すると共に広幅面にて前記単票用紙の搬送を案内するように構成されたガイド体とからなり、
前記ガイド体を、前記給紙ローラより搬送下流側で且つ上方位置であって、前記トレイ板を後上向き姿勢にした状態で、上方を覆われない位置に配置し、前記ガイド体の広幅面には単票用紙の搬送方向に沿って、前記ピンチローラの配置される一端部とその他端部との間の中途部に回動中心となる支持孔を穿設する一方、前記ガイド体を回動支持する支持体には、前記支持孔に嵌合し、且つ支持縁片を備えた舌片を突設させ、該支持体と前記ガイド体の他端部とを、前記ピンチローラを搬送ローラに付勢するための引張り付勢ばねにて着脱自在に連結したことを特徴とする搬送装置。
【発明の詳細な説明】
【０００１】
【発明の属する技術分野】
本発明は、ワードプロセッサ（文書作成装置）、電子写真式複写機、プリンタ装置、ファクシミリ装置等の画像形成装置における単票用紙（カット紙）を搬送する搬送装置の構造に関するものである。
【０００２】
【従来の技術】
従来、例えば、本出願人が先に提案した特開平７−３１１５３５号公報に開示されているように、プリンタ装置における本体ケースの上面前部寄り位置にキーボード等の操作パネル部を備える一方、本体ケースの上面後部には、シート類としての単票用紙（カット紙ともいう）を本体ケース内の画像形成部（印字部）に向かって給紙するための給紙トレイを、本体ケースの上面に対して後傾斜状に且つ着脱自在に装着する一方、本体ケースの上面に対して開閉回動可能なカバー体の下面には、ピンチローラとガイドリブとを設け、単票用紙の搬送経路（給紙経路）中に設けた搬送ローラの上面に対して前記ピンチローラを当接させる構成を提案している。
【０００３】
この構成によれば、前記搬送経路（給紙経路）中に単票用紙の紙ジャムがあった場合、カバー体を開くだけで、前記搬送経路（給紙経路）が開放され、詰まった紙を簡単に除去できるものである。
【０００４】
【発明が解決しようとする課題】
しかしながら、前記カバー体の回動中心箇所では、枢着軸を本体ケースとの間に挿通させて本体ケースとカバー体とを回動可能に連結しなければならず、カバー体の取り付け作業に手間が掛かるという問題があった。
また、カバー体が不用意に回動しないように、本体ケースとカバー体とに係脱部（係合爪とその係止部）とを設ける必要があり、さらに、カバー体を閉じた状態において、搬送ローラに対してピンチローラを押圧する必要があり、それらの構造に特別の工夫も必要となるから、プリンタ装置等、画像形成装置の製造コストが高くなるという問題があった。
【０００５】
本発明は前記従来技術の欠点に鑑みてなされたものであって、構造及び装着作業等が極めて簡単となるようにした搬送装置を提供することを目的とするものである。
【０００６】
【課題を解決するための手段】
前記目的を達成するため、請求項１に記載の発明の搬送装置は、本体ケースの上面後端側を支点として前後回動可能に枢着されるトレイ板を備え、前記トレイ板及びホッパー板に積層された単票用紙を給紙ローラと分離面とにより１枚ずつ搬送する搬送装置において、搬送経路のうち前記給紙ローラより搬送下流側に配置して駆動する搬送ローラと、該搬送ローラに押圧するピンチローラと、該ピンチローラを一端部にて支持すると共に広幅面にて前記単票用紙の搬送を案内するように構成されたガイド体とからなり、前記ガイド体を、前記給紙ローラより搬送下流側で且つ上方位置であって、前記トレイ板を後上向き姿勢にした状態で、上方を覆われない位置に配置し、前記ガイド体の広幅面には単票用紙の搬送方向に沿って、前記ピンチローラの配置される一端部とその他端部との間の中途部に回動中心となる支持孔を穿設する一方、前記ガイド体を回動支持する支持体には、前記支持孔に嵌合し、且つ支持縁片を備えた舌片を突設させ、該支持体と前記ガイド体の他端部とを、前記ピンチローラを搬送ローラに付勢するための引張り付勢ばねにて着脱自在に連結したことを特徴とするものである。
【０００７】
【０００８】
【発明の実施の形態】
次に、本発明を具体化した実施形態について説明する。図１は携帯可能な文書作成装置１の一部切欠き側面図、図２は給紙部の概略斜視図、図３は搬送部の平面図、図４は搬送部の前面図である。
本発明を適用した文書作成装置１は、合成樹脂製等の本体ケース２の上面前部側に、文字、数字記号等のキーや各種ファックションキーが多数配置されたキー入力部３を有し、本体ケース２の上面には前記キー入力部３の後部において、裏面が合成樹脂製等のカバー体４ａにて覆われた液晶ディスプレイ４ｂからなる表示部４を備える。この表示部４の下端（基端）は、横軸５により本体ケース２の前後方向に回動可能に装着されており、使用時には、図１の実線で示す如く、表示部４の上端側を上向き後傾斜させた開き状態に保持でき、不使用時や携帯時には、液晶ディスプレイ４ｂがキー入力部３の上面を覆うようにカバー体４ａにて保護された閉止姿勢（図１の二点鎖線状態参照）となり、フック体６を介して本体ケース２の前端側に係止できる構成である。
【０００９】
図１、図２、図５〜図７に示すように、本体ケース２内には、後述するように、供給すべき単票用紙Ｐを積層状にて後上向き傾斜状に載置できる主トレイ板７の下方前方に、前記積層された単票用紙Ｐを１枚ずつに分離しながら印字部１０に向かって給紙するための給紙部９を備える。即ち、給紙部９におけるホッパー板１６は、前記主トレイ板７の下端と、前記積層された単票用紙Ｐの下端縁（搬送方向の前端縁）を案内支持するための支持部１７との間にて下向き前傾斜状に配置されている。支持部１７の上面は、図２〜図６に示すように、前記ホッパー板１６の傾斜に対して略直交するように後下向きに傾斜した受け面１７ａと、後述する搬送ローラ２３の上面方向に下向き前傾斜の案内滑り面（傾斜案内面）１７ｂとを備え、前記受け面１７ａ側には搬送方向と直交する方向に適宜間隔にて凹所１７ｃが凹み形成されている。また、前記受け面１７ａから案内滑り面１７ｂにわたって、搬送方向と直交する方向に適宜間隔にて、摩擦係数の高い材料からなる滑り抵抗を有する分離面を設ける。その一例として、摩擦係数の高い材料からなる分離シート２７が貼着されている。
【００１０】
前記ホッパー板１６の上部左右両側の軸部１６ａが支持部１７の左右両側支持部１７ｄにて回動可能に支持され、支持部１７の凹所１７ｃに配置した付勢ばね１８により上向き付勢されたホッパー板１６の表面と対峙する半月状の給紙ローラ９ａ及びガイドローラ９ｂが駆動軸９ｃに取り付けられている。
そして、給紙ローラ９ａにおける摩擦係数の高い円弧周面が前記積層された単票用紙Ｐのうち最上面を押圧しながら、図６（ａ）及び図７（ａ）の時計方向に回動するとき、単票用紙Ｐを１枚ずつに分離しながら、支持部１７の下向き前傾斜の案内滑り面１７ｂに沿って下方に搬送されるように構成されている。
【００１１】
また、図５〜図７に示すように、前記支持部１７の近傍、例えば凹所１７ｃの位置には、ホッパー板１６の下端側に、前記受け面１７ａに対して選択的に出没可能な補助受け体２８を配置する。この補助受け体２８は、側面視Ｌ字状に形成されており、支持軸部２９に一体的に取り付けられてあり、支持軸部２９は複数箇所にてホッパー板１６の下面側に設けたＵ字状等の軸受部にて回転可能に軸支されている。そして、支持部１７の一側に突設したブラケット３０に、操作レバー３１が、その枢支軸３１ａを中心にして前後回動可能に装着されている（図５（ｂ）及び図６（ｂ）参照）。前記支持軸部２９の一端に固着されたリンク３２には、前記操作レバー３１の先端に横向き突出させた係合ピン３３が嵌合する略円弧状の案内溝３２ａが形成されており、さらに、ブラケット３０と前記リンク３２との間に引張り付勢ばね３４が装架されていることにより、操作レバー３１を図５（ｂ）のように時計回りに回動させると、支持軸部２９を反時計方向に回動させ、且つ補助受け体２８が前記受け面１７ａより下方に没する姿勢を保持するように、引張り付勢ばね３４の作用線が係合ピン３３の位置よりも下側になる。逆に、操作レバー３１を図６（ｂ）のように反時計方向に回動させるときには、引張り付勢ばね３４の作用線が係合ピン３３の位置よりも上側になり、支持軸部２９を時計方向に回動させ、且つ補助受け体２８が前記受け面１７ａより上方に突出する姿勢を保持することができる。
【００１２】
このように構成されたリンク機構にて、補助受け体２８の出没姿勢を操作レバー３１の回動操作により選択することができる。なお、補助受け体２８の上面は滑り抵抗が少ない表面に形成されている。
通常の印刷用紙等の腰の弱い単票用紙Ｐの場合、図６（ｂ）に示すように操作レバー３１を時計方向に回動操作させることにより、補助受け体２８の上面が前記支持部１７における受け面１７ａ及び分離シート２７の上面より下方に没した姿勢を保持する。この状態にて、主トレイ板７及びホッパー板１６の上面に前記単票用紙Ｐを積層状に載置すると、当該単票用紙Ｐの搬送方向前端縁は、前記分離シート２７に当接することになる（図６（ａ）参照）。
【００１３】
なお、前記支持部１７における凹所１７ａに配置された給紙ストッパー体３６は、横軸３６ａを中心に上下回動可能であり、また、力の弱い付勢ばね３７にて上向き付勢され、通常は給紙ストッパー体３６の一部上面が前記支持部１７における受け面１７ａ及び分離シート２７の上面より上側に突出して、前記積層された単票用紙Ｐの搬送方向前端縁が不用意に傾斜滑り面１７ｂ方向にずれ出さないよう保持されている。
【００１４】
この状態で印字作業を開始すると、まず、半月状の給紙ローラ９ａが図６（ａ）において時計方向に回動する。これにより、前記積層された腰の弱い単票用紙Ｐのうち最上層の単票用紙Ｐの前端縁が前記分離シート２７の抵抗に打ち勝って滑り出し、給紙ストッパー体３６の上面を乗り越え、案内滑り面１７ｂ方向に移動し、駆動回転している搬送ローラ２３とピンチローラ１９とに挟持されると、単票用紙Ｐは印字部１０方向に確実に搬送できるのである。
【００１５】
他方、腰の強い紙で形成された封筒やハガキのような単票用紙Ｐ′の場合には、図７（ｂ）に示すように、操作レバー３１を反時計方向に回動操作させることにより、補助受け体２８の上面が前記支持部１７における受け面１７ａ及び分離シート２７の上面より上方に突出した姿勢に保持される。これにより、単票用紙Ｐの搬送方向の前端縁は、前記分離シート２７に当接せず、補助受け体２８の上面に当接支持されることになる（図７（ａ）参照）。
【００１６】
この状態で印字作業を開始すると、半月状の給紙ローラ９ａが図７（ａ）において時計方向に回動するとき、前記積層された腰の強い単票用紙Ｐ′のうち最上層の単票用紙Ｐ′の前端縁が分離シート２７に触れることなく、補助受け体２８の上面から支持部１７の案内滑り面１７ｂ方向に移り、駆動回転している搬送ローラ２３とピンチローラ１９とに挟持されると、単票用紙Ｐ′は印字部１０方向に確実に搬送できるのである。
【００１７】
次に、前記支持部１７より搬送下流側に配置されて、回転駆動する搬送ローラ２３にピンチローラ１９を押圧させ、前記支持部１７側から給紙されるシート類としての単票用紙Ｐを印字部１０の方向に搬送案内するための搬送装置について、図３〜図１１を参照しながら説明する。
前記支持部１７の滑り案内面１７ｂに対峙するガイド体としてのガイド板２０と、該各ガイド板２０を着脱自在可能且つ回動可能に支持するための支持パネル２１とが前記給紙ローラ９ａを挟んで搬送経路と反対側に配置され、左右長手の支持パネル２１の左右両側端部２１ｂ（図８（ａ）及び図８（ｂ）に右側のみ図示す）を、本体ケース２の上面後部の左右両側に突設した支持片３５の上向き開放状の切欠き部３５ａに着脱自在に支持させる。支持パネル２１の上端には、複数のガイド板２０を各々付勢ばね２２一端を係止するための係止フック部２１ｃを有し、支持パネル２１の長手方向の中途部下端側は、図５〜図７及び図１１に示すように、前記ホッパー板１６の上面に積層した単票用紙Ｐの表面と略直交する方向に延びるように屈曲させ、その屈曲部の下端には、前記各ガイド板２０の広幅面の中途部を回動自在に支持でき、且つ各ガイド板２０を着脱自在とするための複数の係合舌片２１ａを一体的に備える。各係合舌片２１ａの根本部は、図８及び図１０に示すように、直線状の支持縁片２１ｄが一体的に形成されている。そして、ガイド板２０は図９に示すように、単票用紙Ｐの幅方向に複数に分割されており、当該ガイド板２０の広幅面の中途部には、１〜３の支持孔２０ａが穿設されている。各支持孔２０ａには図１０に示すごとく、前記係合舌片２１ａの根本部における支持縁片２１ｄが嵌まる段部２０ｂが凹み形成されている。また、ガイド板２０の上端には、付勢ばね２２の他端を係止するための係止フック部２０ｃを備える。ガイド板２０の下端には、ピンチローラ１９の左右両側端を回転自在に支持するための軸支部２０ｄを備える。
【００１８】
この構成により、まず、支持パネル２１の左右両側端部２１ｂを、本体ケース２の上面後部の左右両側に突設した支持片３５の上向き開放状の切欠き部３５ａに挿入する。次いで、この支持パネル２１の下端に突出する係合舌片２１ａに、各ガイド板２０の広幅面のうち単票用紙Ｐの搬送方向に沿う中途部に穿設された支持孔２０ａの箇所を挿入し、次いで、各ガイド板２０及び支持パネル２１の係止フック部２０ｃ，２１ｃに付勢ばね２２を連結する。こうすると、各ガイド板２０の支持孔２０ａの裏面側の段部２０ｂに、支持パネル２１の係合舌片２１ａにおける支持縁片２１ｄが当接して、当該支持縁片２１ｄの箇所を中心にして回動可能となり、且つ外れ不能に連結できることになる。
【００１９】
そして、図５等に示されているように支持パネル２１における左右両側端部２１ｂが前記切欠き部３５ａにより略垂直状に姿勢保持されるので、各ガイド板２０の下端に装着されたピンチローラ１９が搬送ローラ２３の上面に押圧するように、前記付勢ばね２２の力が作用することができる。また、支持パネル２１よりも給紙ローラ９ａに近い側に配置されたガイド板２０は、支持部１７における案内滑り面１７ｂに対して上側で対向するので、単票用紙Ｐが通過し得る搬送経路も構成できることになる。
【００２０】
また、印字部１０におけるインクジェット式等の印字ヘッド１０ａを搭載したキャリッジ１０ｂが、前記搬送ローラ２３より搬送下流側に配置された左右長手のプラテン１０ｃと平行に配置されたガイド軸２４ａ及びガイドバー２４ｂに沿って左右移動するように、図示しないタイミングベルト及び駆動手段により駆動される。搬送される単票用紙Ｐは、前記印字ヘッド１０ａのインク吐出部と板状のプラテン１０ｃと間を通過する間に印字（記録）される。
【００２１】
この印字部１０の下方には、本体ケース２内に位置する排紙ローラ対１１と排紙口１２とを有し、図１に示すごとく、前記排紙口１２の下方から、本体ケース２の前端に向かって延びるように装着された平板状の排紙トレイ１３は、本体ケース２の下面と適宜隙間だけ隔てるように配置され、排紙口１２から排紙トレイ１３の前端開口部１３ａ方向に単票用紙Ｐが排出され、前端開口部１３ａ側の切欠き部にて単票用紙Ｐを取り出せる構成である。
【００２２】
また、本体ケース２の下面前部には、携行用（手提げ用）の把手１５の両側基部を前後回動可能に装着し、把手１５を後向きに回動した姿勢では、本体ケース２の下面に凹み形成されたコ字型の収納部（図示せず）に嵌まり込んで前記排紙される単票用紙Ｐがつかえないように構成されている。
図１、図２に示すように、前記表示部４より後方において、本体ケース２の上面後端側には、給紙トレイとしての偏平状の主トレイ板７がその基端左右両側の枢支ピン７ａを中心にして前後回動可能に枢着され、使用時においては、主トレイ板７が後上向き傾斜姿勢に保持できる一方、主トレイ板７を前方に倒すときには、本体ケース２の上面とほぼ平行状になるなどして、前記支持部１７の上方を覆う姿勢に保持できる。
【００２３】
そして、主トレイ板７上端部の表面側には、その左右中途部において、補助トレイ板８の基端の左右両側の枢支ピン８ａを介して、前後回動可能に枢着させて、当該補助トレイ板８が給紙主トレイ板７の上端部から平行状に展開した姿勢と、主トレイ板７の表面（上面）に重なる（被さる）ように折り畳んだ姿勢とに選択的に回動させることができるように構成されている。主トレイ板７に対して補助トレイ板８を展開して姿勢では、サイズ（長さ）の大きい単票用紙Ｐの後端部を無理なく支持することができる。
【００２４】
なお、本発明の給紙部や搬送部の構成は、複写機、プリンタ装置、ファクシミリ装置等のいずれの画像形成装置においても適用できることはいうまでもない。
【００２５】
【発明の効果】
以上に詳述したように、請求項１に記載の発明の搬送装置は、本体ケースの上面後端側を支点として前後回動可能に枢着されるトレイ板を備え、前記トレイ板及びホッパー板に積層された単票用紙を給紙ローラと分離面とにより１枚ずつ搬送する搬送装置において、搬送経路のうち前記給紙ローラより搬送下流側に配置して駆動する搬送ローラと、該搬送ローラに押圧するピンチローラと、該ピンチローラを一端部にて支持すると共に広幅面にて前記単票用紙の搬送を案内するように構成されたガイド体とからなり、前記ガイド体を、前記給紙ローラより搬送下流側で且つ上方位置であって、前記トレイ板を後上向き姿勢にした状態で、上方を覆われない位置に配置し、前記ガイド体の広幅面には単票用紙の搬送方向に沿って、前記ピンチローラの配置される一端部とその他端部との間の中途部に回動中心となる支持孔を穿設する一方、前記ガイド体を回動支持する支持体には、前記支持孔に嵌合し、且つ支持縁片を備えた舌片を突設させ、該支持体と前記ガイド体の他端部とを、前記ピンチローラを搬送ローラに付勢するための引張り付勢ばねにて着脱自在に連結したことを特徴とするたものである。
【００２６】
従って、ガイド体の支持孔に支持体の支持縁片を備えた舌片を挿入、且つ支持体と前記ガイド体の他端（上端）とを付勢ばねにて連結するという簡単な作業だけで、支持体に対してガイド体が外れ不能で且つ回動可能に装着できるから、従来のように回動中心となる箇所で枢軸にて両者（支持体とガイド体）を連結する必要がなく、しかも、ピンチローラを搬送ローラに押圧するための付勢ばねが、前記支持体とガイド体とを着脱自在に連結するための部品として兼用できるから、必要部品点数も少なく、且つ構造も簡単となるという効果を奏する。
【００２７】
【００２８】
【図面の簡単な説明】
【図１】  文書作成装置の一部切欠き側面図である。
【図２】  給紙部の概略斜視図である。
【図３】  搬送部の正面図である。
【図４】  搬送部の平面図である。
【図５】  図３のＶ−Ｖ線矢視拡大側断面図である。
【図６】  （ａ）は給紙ローラ箇所での補助受け体を分離シートの上面より下方に没した状態に保持したときの状態を示す側断面図、（ｂ）は操作レバー及びリンク機構の姿勢を示す側面図である。
【図７】  （ａ）は給紙ローラ箇所での補助受け体を分離シートの上面より上方に突出した状態に保持したときの状態を示す側断面図、（ｂ）は操作レバー及びリンク機構の姿勢を示す側面図である。
【図８】  （ａ）は支持パネルの一部切欠き平面図、（ｂ）は同じく前面図である。
【図９】  ガイド板の前面図である。
【図１０】  図９のＸ−Ｘ線矢視拡大断面図である。
【図１１】  ガイド板を支持パネルに装着する作業を示す断面説明図である。
【符号の説明】
Ｐ，Ｐ′  単票用紙
１        文書作成装置
２        本体ケース
３        キー入力部
４        表示部
９        給紙部
９ａ        給紙ローラ
１０        印字部
１７        支持部
１７ａ      受け面
１７ｂ      案内滑り面
１７ｃ      凹所
１９        ピンチローラ
２０        ガイド板
２０ａ      支持孔
２０ｃ      係止フック部
２１        支持パネル
２１ａ      係止舌片
２１ｃ      係止フック部
２１ｄ      支持縁片
２２        付勢ばね
２３        搬送ローラ
３５        支持部
３５ａ      切欠き部
【図１】
0003944947.tif 000002
【図２】
0003944947.tif 000003
【図３】
0003944947.tif 000004
【図４】
0003944947.tif 000005
【図５】
0003944947.tif 000006
【図６】
0003944947.tif 000007
【図７】
0003944947.tif 000008
【図８】
0003944947.tif 000009
【図９】
0003944947.tif 000010
【図１０】
0003944947.tif 000011
【図１１】
0003944947.tif 000012